(57)【特許請求の範囲】
【請求項１】
基枠体が正面側に位置する取付板と左側面側に位置する支持板を有して断面コ字状に形成され、該基枠体の該支持板の外側に沿って連結杆が摺動可能に配設され、該支持板の上部と下部に鉤部材が該連結杆に連結されて傾動可能に枢支され、該基枠体の該取付板の中間部にシリンダ錠が取り付けられ、該シリンダ錠の錠軸の先端に前記連結杆と係合するカム部材が固定され、前記基枠体の該取付板の正面がゲーム機の前扉の正面視右端の内側面に縦に取り付けられ、該ゲーム機の筐体側に取り付けられた受け金具の係止部に前記鉤部材が係止されて前扉を施錠するゲーム機の施錠装置であって、
前記シリンダ錠は、該錠軸のカム部材を該基枠体の正面側に位置させるように、内側に凹部空間を形成した脚部付きフランジ部を介して該取付板の正面側に取り付けられ、
該カム部材が係合する該連結杆の係合部分が該基枠体の該取付板の正面側に位置し、該カム部材を覆うカバー部材が該取付板の内側面に取り付けられ、
前記筐体側に係止片が設けられ、前記前扉の閉鎖時に該係止片が係合する係止凹部が前記連結杆に設けられ、該係止凹部の近傍の該連結杆にロック部材が揺動可能に軸支され、
該ロック部材には、該係止片が係合する係合凹部が設けられると共に、前記カム部材と係合可能なカム係合部が設けられ、該カム部材及び該カム係合部は該基枠体の内側に露出しないように該基枠体の正面側に配置されたことを特徴とするゲーム機の施錠装置。
【請求項２】
スイッチを動作させるためのスイッチ作動杆が前記支持板の外側に沿って摺動可能に配設され、前記カム部材と係合可能なカム係合部が該スイッチ作動杆に設けられ、該スイッチ作動杆には該基枠体の正面側の隙間をカバーするカバー部が設けられたことを特徴とする請求項１記載のゲーム機の施錠装置。
【請求項３】
前記カム部材には、前記連結杆のカム係合部と前記スイッチ作動杆のカム係合部に係合する１個の係合凸部が、カム部材の端部を基枠体の正面側に曲折して設けられ、該係合凸部の一方の面に連結杆のカム係合部が係合し、該係合凸部の他方の面にスイッチ作動杆のカム係合部が係合するように構成されたことを特徴とする請求項１または２記載のゲーム機の施錠装置。
【請求項４】
前記連結杆と前記スイッチ作動杆との間にばね部材が掛け渡され、該ばね部材を該支持板の内側から覆うカバー体が設けられたことを特徴とする請求項３記載のゲーム機の施錠装置。
【発明の詳細な説明】
【技術分野】
【０００１】
本発明は、スロットマシン、パチンコ機等のゲーム機の前扉の内側に取り付けられ、前扉を筐体（本体枠、キャビネット等）に対し施錠するゲーム機の施錠装置に関する。
【背景技術】
【０００２】
ゲーム機の前扉を本体枠に対し施錠する施錠装置として、断面Ｌ字状またはコ字状の取付板と支持板を有した基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている。
【０００３】
この種の施錠装置は、シリンダ錠の錠軸をキーで回すことにより、カム板を回動させ、カム板に係合する連結杆を上下に摺動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、ゲーム機の一部に隙間があって、その隙間から針金等を内部に差し込み、針金等で鉤部材に直接力を加えて傾動させると、前扉がキーを用いずに不正に解錠されてしまう問題があった。
【０００４】
そこで、本発明者らは、施錠完了時に連結杆の動きをロックするロック部材を連結杆に枢支して設け、解錠時にはロック部材のロックを解除する機構を設けることにより、上記のような不正解錠を防止する施錠装置を、下記特許文献１などで提案している。
【特許文献１】特開２００３−７０９６８
【発明の開示】
【発明が解決しようとする課題】
【０００５】
この施錠時に連結杆をロックして不正解錠を防止する施錠装置は、ゲーム機の前扉を本体枠に対し閉じ、鉤部材を受け金具の係止部に係止させて施錠を完了すると、ロック部材が連結杆をロックすることにより鉤部材がロックされ、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止するものである。
【０００６】
しかしながら、このようなロック部材を設けた施錠装置であっても、シリンダ錠の錠軸に固定されて回転するカム板によって、解錠時にはロック部材のロックが解除されるため、針金等の不正器具の先端をカム板やロック部材の係合部に引っ掛けてロックを解除して、不正解錠が行なわれる可能性があった。
【０００７】
本発明は、上記の課題を解決するためになされたもので、一層効果的に不正解錠を防止することができるゲーム機の施錠装置を提供することを目的とする。
【課題を解決するための手段】
【０００８】
上記目的を達成するために、本発明のゲーム機の施錠装置は、
基枠体が正面側に位置する取付板と左側面側に位置する支持板を有して断面コ字状に形成され、該基枠体の該支持板の外側に沿って連結杆が摺動可能に配設され、該支持板の上部と下部に鉤部材が該連結杆に連結されて傾動可能に枢支され、該基枠体の該取付板の中間部にシリンダ錠が取り付けられ、該シリンダ錠の錠軸の先端に前記連結杆と係合するカム部材が固定され、前記基枠体の該取付板の正面がゲーム機の前扉の正面視右端の内側面に縦に取り付けられ、該ゲーム機の筐体側に取り付けられた受け金具の係止部に前記鉤部材が係止されて前扉を施錠するゲーム機の施錠装置であって、
前記シリンダ錠は、該錠軸のカム部材を該基枠体の正面側に位置させるように、内側に凹部空間を形成した脚部付きフランジ部を介して該取付板の正面側に取り付けられ、
該カム部材が係合する該連結杆の係合部分が該基枠体の該取付板の正面側に位置し、該カム部材を覆うカバー部材が該取付板の内側面に取り付けられ、
前記筐体側に係止片が設けられ、前記前扉の閉鎖時に該係止片が係合する係止凹部が前記連結杆に設けられ、該係止凹部の近傍の該連結杆にロック部材が揺動可能に軸支され、
該ロック部材には、該係止片が係合する係合凹部が設けられると共に、前記カム部材と係合可能なカム係合部が設けられ、該カム部材及び該カム係合部は該基枠体の内側に露出しないように該基枠体の正面側に配置されたことを特徴とする。
【００１０】
ここで、スイッチを動作させるためのスイッチ作動杆が支持板の外側に沿って摺動可能に配設され、カム部材と係合可能なカム係合部がスイッチ作動杆に設けられ、スイッチ作動杆には基枠体の正面側の隙間をカバーするカバー部を設けることができる。
【００１１】
また、カム部材には、連結杆のカム係合部とスイッチ作動杆のカム係合部に係合する１個の係合凸部が、カム部材の端部を正面側に曲折して設けられ、係合凸部の一方の面に連結杆のカム係合部が係合し、係合凸部の他方の面にスイッチ作動杆のカム係合部が係合するように構成することができる。
【００１２】
また、連結杆とスイッチ作動杆との間にばね部材が掛け渡され、該ばね部材を該支持板の内側から覆うカバー体を設けることができる。
【発明の効果】
【００１３】
上記構成の施錠装置では、シリンダ錠が、錠軸のカム部材を基枠体の正面側に位置させるように、内側に凹部を形成した脚部付きフランジ部を介して取付板の正面側に取り付けられ、カム部材が係合する連結杆の係合部分が基枠体の正面側に位置するようにし、カム部材を覆うカバー部材を取付板の内側面に取り付けたから、ゲーム機の筐体と前扉の自由端側の隙間から、針金等の不正器具を差し込んで、基枠体の内側に不正器具の先端が達したとしても、カム部材やそれと係合する連結杆のカム係合部などは基枠体の内側に露出していない。このため、不正器具をそれらに引っ掛けて動かすことはできず、不正解錠を防止することができる。また、連結杆が基枠体の支持板の外側に配設されるため、前扉の自由端側の隙間から差し込まれた不正器具には、支持板が壁となって連結杆に到達することは難しく、これによっても、不正解錠を防止することができる。
【００１４】
さらに、ロック部材には、係止片が係合する係合凹部が設けられると共に、カム部材と係合可能なカム係合部が設けられ、カム部材及びカム係合部は基枠体の内側に露出しないように基枠体の正面側に配置されるので、針金などによる不正解錠を一層効果的に防止することができる。
【００１５】
さらに、スイッチ作動杆を支持板の外側に沿って摺動可能に配設し、上記カム部材には、連結杆のカム係合部とスイッチ作動杆のカム係合部に係合する１個の係合凸部を曲折して設け、係合凸部の一方の面に連結杆のカム係合部を係合させ、係合凸部の他方の面にスイッチ作動杆のカム係合部が係合する構造とし、スイッチ作動杆には基枠体の正面側の隙間をカバーするカバー部を設けて構成すれば、カム部材を小形化してシリンダ錠のフランジ部の内側空間に収容することができる共に、基枠体の正面側の隙間をカバーすることにより、スイッチ作動杆やカム部材との係合部分に、針金等の不正器具を到達させないようにして、不正行為を防止することができる。
【００１６】
また、連結杆とスイッチ作動杆との間に掛け渡されたばね部材を、支持板の内側から、カバー体により覆うようにすれば、輸送中、取付作業中などの際、何らかの物体がばね部材に当たるなどして、ばね部材が外れる不具合を防止することができる。
【発明を実施するための最良の形態】
【００１７】
以下、本発明の実施形態を図面に基づいて説明する。図１はスロットマシン用の施錠装置の斜視図を、図２はその背面側からの斜視図を、図３はその背面図を各々示している。また、図７はその分解左側面図を示し、図８はその分解背面図を示している。１は断面を略コ字状とした縦長の基枠体で、その正面側に取付板２に形成し、左側面に支持板３を形成して一体成形され、基枠体１の支持板３の上部と下部及び中間部が分割形成され、上部と下部に幅広の枢支部が形成される。
【００１８】
各枢支部には、鉤部材４、５が下側に傾動可能に、枢支ピン４ａ、５ａによって枢支され、支持板３の中間部の分割支持板３ａには後述の本体枠側の係止片２６が進入する凹部３ｂが形成されている。鉤部材４、５は三角形頭部とその中間部の係合凹部を設けて形成され、後述の分割形成された受け金具の係止部２４、２５に係止可能である。また、上部の支持板３には、後述のばね部材１２をカバーするためのばねカバー３ｃがばねを支持板の内側からカバーするように設けられている。
【００１９】
一方、取付板２の中間部の幅広部には、図１０に示すように、シリンダ錠７を取り付けるための開口部が形成され、シリンダ錠７はその開口部にその固定部７ｃを挿入し、固定部の孔に固定ねじを挿入して締付け固定される。シリンダ錠７は、図９に示すように、その元部にフランジ部７ａが形成され、フランジ部７ａの両側には脚部７ｂが背面側に突設され、脚部７ｂに固定部７ｃが側方に突設されている。このフランジ部７ａの両側に脚部７ｂを突設することにより、シリンダ錠７の元部に、カム部材を配置するための空間７ｄを形成している。
【００２０】
シリンダ錠７の錠軸７ｅはこの空間７ｄ内に突設され、その錠軸７ｅにカム部材８が固定される。カム部材８には、１個の係合凸部８ａのみが設けられ、この係合凸部８ａは、板材で形成されたカム部材の側端部を正面側に曲折して形成されている。このカム部材８は係合凸部８ａの両側面を作用面として後述のカム係合部に係合させるようにしている。シリンダ錠７は、図７のように、そのフランジ部７ａの両側の脚部７ｂを介して固定されることにより、カム部材８を収容する空間を、取付板２の内側面より正面側に出して取り付けられる。
【００２１】
このように、シリンダ錠７を取付板２に取り付けた状態で、カム部材８は取付板２の内側面より正面側にシフトして、つまり基枠体１の内側よりさらに内側に入った位置に収納され、さらに、そのカム部材８が収納された空間を基枠体１の内側から覆うように、カバー体１９が取付板２の内側に取り付けられている（図３、図８）。
【００２２】
基枠体１の支持板３及び分割支持板３ａの外側に沿って、帯状長尺の連結杆６が上下に摺動可能に配設され、連結杆６の上端は、鉤部材４の末端部に連結ピン４ｂにより連結され、その下端は同様に下部の鉤部材５の末端部に連結ピン５ｂにより連結される。
【００２３】
図７、８の分解図に示すように、連結杆６の略中間部下寄りに、カム部材８の係合凸部８ａが係合するカム係合部６ａが曲折して形成されると共に、後述の本体枠側の係止片２６が進入して係合可能な係止凹部６ｂが形成されている。さらに、連結杆６は、その中間部に設けた長孔６ｃ、６ｄにガイドピン１１ａ、１１ｂを通しそれを支持板３、３ａに固定することにより、支持板３、３ａに沿って摺動可能に支持される。連結杆６は、カム部材８が正面視時計方向に回動したとき、その係合凸部８ａがカム係合部６ａに係合して、上方に摺動し、これにより、上下の鉤部材４、５を下側に傾動させて解錠動作する。
【００２４】
この連結杆６の内側（支持板３との間）にロック部材１０が枢軸１０ｃにより揺動可能に取り付けられる。このロック部材１０は、施錠時に連結杆６の移動をロックするもので、枢軸（支軸）１０ｃによって連結杆６に対し揺動可能に取り付けられている。図７に示すように、このロック部材１０には、連結杆６の係止凹部６ｂに対応した位置に係合凹部１０ａが設けられ、また、カム部材８の係合凸部８ａと係合可能なカム係合部１０ｂが内側に突出形成されている。
【００２５】
さらに、支持板３、３ａと連結杆６の間にスイッチ作動杆９が摺動可能に配設される。このスイッチ作動杆９は、その中間部にカム係合部９ａを設けると共に、非接触スイッチ１８をオンオフさせるための作動片９ｄを下部に設けている。また、このスイッチ作動杆９には、正面側の隙間をカバーするためのカバー部９ｂがその中間部を内側に曲折して形成されている。
【００２６】
さらに、スイッチ作動杆９の上部と下部にはガイド孔９ｃが設けられ、そのガイド孔９ｃにガイドピン１１ａ、１１ｂが挿通され、上下に摺動可能に保持される。また、スイッチ作動杆９は、カム部材８の回動によりそのカム係合部９ａが下方に押されて摺動し、作動片９ｄが下降して非接触スイッチ１８をオンオフ動作させる。
【００２７】
ロック部材１０と連結杆６との間にばね部材（トーションばね）１３がかけられ、ばね部材１３はロック部材１０を、その係合凹部１０ａが後述の係止片２６と係合する側に回動するように付勢している。ロック部材１０は連結杆６に対し枢軸１０ｃにより所定の僅かな角度範囲で回動可能に軸支され、施錠時に本体枠側の係止片２６がロック部材１０の係合凹部１０ａ進入した際、連結杆６の動き（解錠時の上方への移動）阻止し、ロックする。
【００２８】
また、キーをシリンダ錠７に差し込み錠軸及びカム部材８を回動して行う解錠操作時には、カム部材８の係合凸部８ａがロック部材１０のカム係合部１０ｂに作用して、ロック部材１０をその係合凹部１０ａと係止片２６の係合を外す側に回動させ、連結杆６のロックを解除して解錠方向に摺動させるように構成される。
【００２９】
連結杆６とスイッチ作動杆９との間にばね部材（コイルばね）１２が掛けられ、連結杆６は下側に、スイッチ作動杆９は上側に付勢される。連結杆６は、その中間部下寄りに設けたガイド孔６ｃ、６ｄにガイドピン１１ａ、１１ｂを通し、支持板３に沿って上下に摺動可能に支持される。ガイドピン１１ａ、１１ｂはスイッチ作動杆９のガイド孔９ｃにも挿通されて、その先端は支持板３に固定される。
【００３０】
これにより、ガイドピン１１ａ、１１ｂは、連結杆６と共にスイッチ作動杆９の上下動をガイドする。さらに、最も下部の支持板３には、前扉の閉鎖時に前扉を支持するために、支持ローラ１７が軸支されている。支持ローラ１７は、前扉が閉じられる際、筐体側に設けられた滑り板上に乗り上げて、前扉を支持する。
【００３１】
上記構成の施錠装置は、図１１に示すように、スロットマシンの前扉２１の内側（前扉の正面視で右端）に、シリンダ錠７の先端を前面に露出させ、鉤部材４、５を筐体２０側に向けた状態で、取付板２を用いて縦に取付けられる。図１１に示すように、シリンダ錠７は前扉２１内の孔に挿入され、シリンダ錠７の元部も前扉２１に設けた内側凹部内に挿入される。
【００３２】
したがって、その元部のフランジ部７ａ内のカム部材８は、前扉２１の内側凹部内に位置することになり、仮に前扉２１の自由端側の隙間から針金等が差し込まれ、基枠体１の内側に針金等の先端が到達した場合でも、カム部材８、カム部材８の係合凸部８ａと連結杆６のカム係合部６ａなどとの係合部分には、針金等の先端は到達しない。また、支持板３の外側に位置する連結杆６やロック部材１０に対しては、支持板３が壁となって、針金等の先端を到達させることはできない。これは針金等の不正器具を使用した不正解錠の防止に対し非常に効果的である。
【００３３】
筐体２０の内側には、係止部２４、２５及び係止片２６を有する受け金具２３が、その係止部２４、２５を鉤部材４、５の対応位置に配置して取り付けられる。係止片２６は、前扉２１の閉鎖時に、上記連結杆６の係止凹部６ｂとロック部材１０の係合凹部１０ａ内に進入するように、その係止凹部６ｂと係合凹部１０ａに位置に対応して配置される。
【００３４】
前扉２１を筐体２０に対し閉じると、施錠装置の上下の鉤部材４、５が筐体２０側の係止部２４、２５に当って下方に傾動し、このとき、係止片２６がロック部材１０の係合凹部１０ａの上縁部に当たる。ロック部材１０が揺動可能であるため、前扉２１を閉じる力によって係止片２６に押されて内側に揺動し、係止片２６が連結杆６の係止凹部６ｂ内に進入した時、鉤部材４、５が係止部２４、２５に嵌り係合する。そして、ばね部材１２の付勢力により連結杆６が下方に戻ることにより、ロック部材１０の係合凹部１０ａが下に移動し、これにより、図１１に示すように、係止片２６がロック部材１０の係合凹部１０ａと連結杆６の係止凹部６ｂ内に嵌入し、連結杆６がロックされる。
【００３５】
このように、前扉２１を閉じる際に、ロック部材１０が揺動して、筐体側の係止片２６の係止凹部６ｂへの係合が許容されるから、係止片２６が連結杆６の係止凹部６ｂに容易に嵌り込むことができ、また、鉤部材４、５が係止部２４、２５の係止される際、連結杆６がロック部材１０と共に一旦上方に移動しその後下方に戻るから、係止片２６は係止凹部６ｂと共に、ロック部材１０の係合凹部１０ａに確実に係合し、連結杆６をロック状態とすることができる。
【００３６】
従って、スロットマシンの前扉２１と筐体２０の間の隙間から針金等を差し込み、仮に鉤部材４、５や連結杆６を不正に傾動或は摺動させようとしても、連結杆６はロックされて動かず、不正解錠を防止することができる。
【００３７】
前扉２１をキーにより解錠する場合は、図１２〜図１４のように、キーでシリンダ錠７の錠軸を回し、カム部材８を図１３の反時計方向に回転させる。このとき、カム部材８の係合凸部８ａが、ロック部材１０のカム係合部１０ｂに当たって、ロック部材１０の下部を前方（係止片２６と反対方向）に揺動させながら、連結杆６のカム係合部１０ｂの当り、ロック部材１０と連結杆６を上方に摺動させる。
【００３８】
またこのとき、ロック部材１０は、その係合凹部１０ａを係止片２６から外すように揺動し、この係止片２６と係合凹部１０ａとの係合が外れる。これによって、連結杆６の上方への移動が可能となり、この際、連結杆６が上方へ移動することにより、上下の鉤部材４、５が下方に傾動して、係止部２４、２５との係合が外れ、図１２のように、前扉２１が解錠される。
【００３９】
このように、キーを右に回して、カム部材８の係合凸部８ａを同方向に回動させれば、ロック部材１０を揺動させてロックを外しながら、連結杆６を解錠方向に移動させ、鉤部材４、５を傾動させて、解錠することができる。
【００４０】
一方、シリンダ錠７に差し込んだキーを左に回すと、図１５、図１６に示すように、カム部材８が同方向に回動し、その係合凸部８ａの裏面側（上記のロック部材１０との係合面の反対側）がスイッチ作動杆９のカム係合部９ａに係合してこれを下方に摺動させ、作動片９ｂが非接触スイッチ１８に作用してこれをオンオフ動作させ、スロットマシンのリセットなどを行なう。
【００４１】
このように、シリンダ錠７が、錠軸のカム部材８を基枠体１の正面側に位置させるように、内側に凹部空間７ｄを形成した脚部７ｂ付きのフランジ部７ａを介して、取付板２の正面側に取り付けられ、カム部材８が係合する連結杆６の係合部分が基枠体１の正面側に位置するようにし、さらにカム部材８を覆うカバー体１９を取付板２の内側面に取り付けたから、ゲーム機の筐体２０と前扉２１の自由端側の隙間から、針金等の不正器具を差し込んで、基枠体１の内側に不正器具の先端が達したとしても、カム部材８やそれと係合する連結杆６のカム係合部６ａなどは基枠体１の内側に露出していないから、不正器具をそれらに引っ掛けて動かすことはできず、不正解錠を防止することができる。また、連結杆６が基枠体１の支持板３の外側に配設されるため、前扉２１の自由端側の隙間から差し込まれた不正器具には、支持板３が壁となって連結杆６に到達することは難しく、これによっても、不正解錠を防止することができる。
【００４２】
なお、上記実施形態では、支持板３の上部と下部に鉤部材４、５を傾動可能に枢支し、連結杆６によって両鉤部材４、５を連結したが、上部と下部に鉤部を一体に形成してなる施錠杆を基枠体内に摺動可能に配設した構造の施錠装置にも適用することができ、この場合には、施錠杆の一部にカム部材と係合するカム係合部を設けると共に、ロック部材をその施錠杆に枢軸を介して軸支し、施錠杆に係止凹部を設け、筐体側の係止片をそこに係合させる構造にすれば良い。
【図面の簡単な説明】
【００４３】
【図１】本発明の一実施形態を示す施錠装置の斜視図である。
【図２】その背面からの斜視図である。
【図３】その平面図である。
【図４】カム部材をカバーするカバー体を外した状態の背面図である。
【図５】施錠装置の要部拡大左側面図である。
【図６】同要部拡大正面図である。
【図７】施錠装置の分解右側面図である。
【図８】同分解背面図である。
【図９】シリンダ錠とカム部材の分解斜視図（ａ）とシリンダ錠とカム部材の組付斜視図（ｂ）である。
【図１０】シリンダ錠の基枠体に対する分解斜視図である。
【図１１】施錠装置の使用状態を示す左側面図である。
【図１２】同施錠装置の解錠時の左側面図である。
【図１３】前扉を解錠操作した際の要部拡大背面斜視図である。
【図１４】前扉を解錠操作した際の要部拡大正面斜視図である。
【図１５】スイッチを動作させた際の要部拡大背面斜視図である。
【図１６】スイッチを動作させた際の要部拡大正面斜視図である。
【符号の説明】
【００４４】
１  基枠体
２  取付板
３  支持板
４、５  鉤部材
６  連結杆
６ａ  カム係合部
６ｂ  係止凹部
７  シリンダ錠
７ａ  フランジ部
７ｂ  脚部
７ｄ  空間
８  カム部材
１０  ロック部材
１０ａ  係合凹部
１０ｂ  カム係合部
１９  カバー体
２０ 本体枠
２１ 前扉
２６ 係止片
【図１】
0004746992.tif 000002
【図２】
0004746992.tif 000003
【図３】
0004746992.tif 000004
【図４】
0004746992.tif 000005
【図５】
0004746992.tif 000006
【図６】
0004746992.tif 000007
【図７】
0004746992.tif 000008
【図８】
0004746992.tif 000009
【図９】
0004746992.tif 000010
【図１０】
0004746992.tif 000011
【図１１】
0004746992.tif 000012
【図１２】
0004746992.tif 000013
【図１３】
0004746992.tif 000014
【図１４】
0004746992.tif 000015
【図１５】
0004746992.tif 000016
【図１６】
0004746992.tif 000017